(57)【特許請求の範囲】
【請求項１】
第１の家具部を駆動して第２の家具部に対して動かすように構成された駆動機構であって、当該駆動機構は、
第１の弾性部材と、
前記第１の弾性部材を解除可能にロックするように構成された第１のロック装置であって、前記第１のロック装置が前記第１の弾性部材をロックすると、前記第１の弾性部材は第１の弾性力を蓄積し、前記第１のロック装置が前記第１の弾性部材のロックを解除すると、前記第１の弾性部材は第１の弾性力を放って前記第１の家具部を駆動し、前記第２の家具部に対して引っ込め位置から開位置の方に第１の方向に沿って動かす、第１のロック装置と、
第２の弾性部材と、
前記第２の弾性部材に連結された第２のロック装置であって、前記第１の家具部が前記第２の家具部に対して前記開位置から前記引っ込め位置の方に第２の方向に沿って所定の距離動かされると、前記第１のロック装置は、前記第１の弾性部材をロックするためにロック解除状態からロック状態に切り替わり、前記第２の弾性部材は、前記第１の家具部が第２の弾性力に反応して前記第２の家具部に対して前記開位置から前記引っ込め位置に前記第２の方向に沿って動かされるように、第２の弾性力を生成する、第２のロック装置と、
を含み、
前記第１のロック装置は第１の部品、第２の部品及び制御部材を含み、
前記第１の部品は、前記第２の家具部が含む補助トラックに沿って可動であり、前記第２の部品は前記第１の部品に可動に連結され、前記制御部材は選択的にロック状態及びロック解除状態の一方の状態になるように構成され、
前記制御部材は制御部を有し、
前記制御部材がロック解除状態にある場合、前記制御部材の制御部は前記第２の部品と係合し、前記制御部材がロック状態にある場合、前記制御部材の制御部は前記第２の部品と係合しない、駆動機構。
【請求項２】
前記補助トラックは前記第２の家具部の長手方向に沿って配置され、前記第１の家具部は前記補助トラックに沿って可動である、請求項１に記載の駆動機構。
【請求項３】
前記第１の家具部に連結された第１のベース部をさらに含み、
前記第１のベース部及び前記制御部材のうちの一方は制御通路を有し、
前記制御通路は第１の通路と、該第１の通路に対して逸れた第２の通路とを含み、
前記制御通路は前記制御部材をロック状態及びロック解除状態のうちの一方の状態に移すように構成され、
前記所定の距離は前記第１の通路によって定義されている、請求項２に記載の駆動機構。
【請求項４】
前記第１のベース部に隣接して配置される第２のベース部をさらに含み、
前記第２のベース部はガイド通路を有し、
前記ガイド通路は長手方向通路と、該長手方向通路に対して逸れた横方向通路とを含み、
前記第２のロック装置は捕捉部材と該捕捉部材に可動に連結されたブロッキング部材とを含み、
前記捕捉部材及び前記ブロッキング部材は前記ガイド通路の長手方向通路に沿って可動であり、前記捕捉部材は前記第２の家具部の一部を捕捉するように構成されている、請求項３に記載の駆動機構。
【請求項５】
前記第１の家具部に対して可動な連結部材をさらに含み、
前記第１のロック装置は前記連結部材上に配置され、
前記連結部材は第１の取り付け部及び第２の取り付け部を有し、
前記第１の弾性部材は前記第１のベース部と前記第１の取り付け部との間に取り付けられ、
前記第２の弾性部材は前記ブロッキング部材と前記第２の取り付け部との間に取り付けられている、請求項４に記載の駆動機構。
【請求項６】
前記第１のベース部は固定部材を有し、
前記連結部材は前記固定部材に対応する位置に位置する伸長孔を備え、
前記連結部材は前記伸長孔を通じて前記第１のベース部に対して可動であり、
前記固定部材は前記伸長孔の一部を通って前記第１の家具部に連結されている、請求項５に記載の駆動機構。
【請求項７】
前記固定部材及び前記伸長孔はそれぞれ突起及び有界孔である、請求項６に記載の駆動機構。
【請求項８】
前記ブロッキング部材及び前記捕捉部材の一方に対応する位置に位置する制動ロッドを有する制動装置をさらに含む、請求項４に記載の駆動機構。
【請求項９】
前記第２のベース部は部屋をさらに含み、
前記駆動機構は前記部屋に収容される補助弾性部材及び押圧部材をさらに含み、
前記補助弾性部材は前記押圧部材に弾性力を提供するように構成され、
前記押圧部材は前記部屋から部分的に突出する、請求項４に記載の駆動機構。
【請求項１０】
前記制御部材は前記第２の部品に対して枢結されている、請求項２に記載の駆動機構。
【請求項１１】
前記第１のロック装置は前記第１の部品と前記第２の部品との間に可動に取り付けられた少なくとも１つの当接部材をさらに含み、
前記第１の部品は第１の当接部を有し、
前記第２の部品は第２の当接部を有し、
当接空間が前記第１の当接部及び前記第２の当接部によって定義されるとともに前記当接部材を収容するように構成され、
前記当接部材が所定の位置に位置している場合、前記当接部材は前記第１の部品及び前記第２の部品と当接し、前記当接部材が前記所定の位置から遠ざかっている場合、前記当接部材は前記第１の部品及び前記第２の部品と当接しない、請求項１に記載の駆動機構。
【請求項１２】
家具組立体であって、
第１の家具部と、
第２の家具部であって、該第２の家具部は補助トラックと含むとともに、前記第１の家具部は該第２の家具部に対して引っ込め位置から開位置の方に可動である、第２の家具部と、
第１のロック装置を含む駆動機構であって、該第１のロック装置は、
前記補助トラックに沿って可動な第１の部品と、
前記第１の部品に可動に連結された第２の部品と、
前記第２の部品に対してロック状態及びロック解除状態のうちの一方の状態になるように構成された制御部材と、
を含み、
前記制御部材は制御部を有し、前記制御部材がロック状態にある場合、該制御部は、前記第１の部品を前記第２の家具部に対して前記引っ込め位置から前記開位置の方に第１の方向に沿って動かすことができるようにするために前記第２の部品と係合せず、
前記制御部材がロック解除状態にある場合、前記制御部は、前記第１の部品を前記第２の家具部に対して第２の方向に沿って動かすことができないようにするために前記第２の部品と係合し、
前記第１の家具部が前記第２の家具部に対して前記開位置から前記引っ込め位置の方に第２の方向に沿って所定の距離動かされると、前記制御部材はロック解除状態からロック状態に切り替わる、家具組立体。
【請求項１３】
前記駆動機構は第１のベース部をさらに含み、
前記第１のベース部及び前記制御部材のうちの一方は制御通路を有し、
前記制御通路は第１の通路と、該第１の通路に対して逸れた第２の通路とを含み、
前記制御通路は前記制御部材をロック状態及びロック解除状態のうちの一方の状態に移すように構成され、
前記所定の距離は前記第１の通路によって定義されている、請求項１２に記載の家具組立体。
【請求項１４】
前記駆動機構は第１の弾性部材をさらに含み、
前記第１の家具部が前記第２の家具部に対して前記開位置から前記引っ込み位置の方向に前記第２の方向に沿って動かされると、前記第１の弾性部材は、前記制御部材がロック解除状態からロック状態に切り替わったことに反応して第１の弾性力を蓄積するように構成され、
前記第１の弾性力は、前記第１の家具部を駆動して前記第２の家具部に対して前記引っ込め位置から前記開位置の方に前記第１の方向に沿って動かすように構成されている、請求項１３に記載の家具組立体。
【請求項１５】
前記駆動機構は第２の弾性部材をさらに含み、
前記第２の弾性部材は、前記制御部材がロック解除状態からロック状態に切り替わったことに反応して第２の弾性力を蓄積するように構成され、
前記第２の弾性力は、前記第１の家具部を駆動して前記第２の家具部に対して前記開位置から前記引っ込め位置の方に前記第２の方向に沿って動かすように構成されている、
請求項１４に記載の家具組立体。
【請求項１６】
前記駆動機構は第２のベース部及び第２のロック装置をさらに含み、
前記第２のベース部は前記第１のベース部に隣接して配置され、
前記第２のベース部はガイド通路を有し、
前記ガイド通路は長手方向通路と、該長手方向通路に対して逸れた横方向通路とを含み、
前記第２のロック装置は捕捉部材と該捕捉部材に可動に連結されたブロッキング部材とを含み、
前記捕捉部材及び前記ブロッキング部材は前記ガイド通路の長手方向通路に沿って可動であり、前記捕捉部材は前記第２の家具部の一部を捕捉するように構成され、
前記駆動機構は第１の取り付け部及び第２の取り付け部を有する連結部材をさらに含み、
前記第１の弾性部材は前記第１のベース部と前記第１の取り付け部との間に可動に取り付けられ、
前記第２の弾性部材は前記ブロッキング部材と前記第２の取り付け部との間に取り付けられている、請求項１５に記載の家具組立体。
【請求項１７】
前記駆動機構は、前記ブロッキング部材及び前記捕捉部材のうちの一方に対応する位置に位置する制動ロッドを有する制動装置をさらに含む、請求項１６に記載の家具組立体。
【請求項１８】
第１の家具部を第２の家具部に対して動かすための駆動方法であって、該第１の家具部は該第２の家具部に対して引っ込め位置から開位置の方に第１の方向に沿って可動であり、当該駆動方法は、
第１の弾性部材を提供するステップと、
前記第１の弾性部材を解除可能にロックするように構成された第１のロック装置を提供するステップであって、該第１のロック装置に前記第１の弾性部材のロックを解除させるために外力によって前記第１の家具部が前記第２の家具部に対して第２の方向に沿って動かされると、前記第１の弾性部材は第１の弾性力を放ち、該第１の弾性力に反応して、前記第１の家具部が前記第２の家具部に対して前記引っ込め位置から前記開位置に前記第１の方向に沿って動かされる、ステップと、
第２の弾性部材を提供するステップと、
を含み、
前記第１のロック装置に前記第１の弾性部材をロックさせるために外力によって前記第１の家具部が前記第２の家具部に対して前記開位置から前記引っ込め位置の方に所定の距離動かされると、前記第２の弾性部材は第２の弾性力を放つように構成され、該第２の弾性力に反応して、前記第１の家具部が前記第２の家具部に対して前記開位置から前記引っ込め位置に前記第２の方向に沿って動かされ、
前記第１のロック装置は第１の部品、第２の部品及び制御部材を含み、
前記第１の部品は、前記第２の家具部が含む補助トラックに沿って可動であり、前記第２の部品は前記第１の部品に可動に連結され、前記制御部材は選択的にロック状態及びロック解除状態の一方の状態になるように構成され、
前記制御部材は制御部を有し、
前記制御部材がロック解除状態にある場合、前記制御部材の制御部は前記第２の部品と係合し、前記制御部材がロック状態にある場合、前記制御部材の制御部は前記第２の部品と係合しない、駆動方法。
【発明の詳細な説明】
【技術分野】
【０００１】
本発明は駆動機構及び駆動方法に関し、より具体的には家具部のための駆動機構及び駆動方法に関する。
【背景技術】
【０００２】
引き出しシステム等の家具システムにおいて、通常、引き出しは一対のスライドレールアセンブリを通じてキャビネットに対して開くか又は引っ込めることができる。引っ込め位置（retracted  position）から引き出しをキャビネットに対して開くのを容易にすることが可能な製品が現在の市場で既に提供されており、係る製品は所謂プッシュオープン製品（push-open  product）である。引き出しをキャビネットに対して引っ込める最後のプロセスで引き出しを自動的に引っ込めることが可能な製品も現在の市場で提供されており、係る製品は所謂自閉製品（self-closing  product）である。しかしながら、市場における様々な要求によれば、プッシュオープン機能及び自閉機能の双方を有する製品の製品開発が重要になっている。特許文献１には、固定部に対して自動開閉機能を有する可動部を含む、可動家具部のための自動（self-moving）装置が開示されている。係る特許文献は参考のために記載する。
【先行技術文献】
【特許文献】
【０００３】
【特許文献１】米国特許第８１７２３４５号明細書
【特許文献２】米国特許第８６６８２８８号明細書
【特許文献３】米国特許第８７２１０１１号明細書
【特許文献４】米国特許第８７６４１３４号明細書
【発明の概要】
【発明が解決しようとする課題】
【０００４】
本発明は、家具部のための駆動機構及び駆動方法に関する。
【課題を解決するための手段】
【０００５】
本発明の一実施形態によれば、駆動機構は第１の家具部を駆動して第２の家具部に対して動かすように構成されている。当該駆動機構は第１の弾性部材と、第１のロック装置と、第２の弾性部材と、第２のロック装置とを含む。第１のロック装置は第１の弾性部材を解除可能にロックするように構成されている。第１のロック装置が第１の弾性部材をロックすると、第１の弾性部材は第１の弾性力を蓄積し、第１のロック装置が第１の弾性部材のロックを解除すると、第１の弾性部材は第１の弾性力を放って第１の家具部を駆動し、第２の家具部に対して引っ込め位置から開位置（open  position）の方に第１の方向に沿って動かす。第２のロック装置は第２の弾性部材に連結されている。第１の家具部が第２の家具部に対して開位置から引っ込め位置の方に第２の方向に沿って所定の距離動かされると、第１のロック装置は、第１の弾性部材をロックするためにロック解除状態からロック状態に切り替わり、第２の弾性部材は、第１の家具部が第２の弾性力に反応して第２の家具部に対して開位置から引っ込め位置に第２の方向に沿って動かされるように、第２の弾性力を生成する。
【０００６】
本発明の別の実施形態によれば、家具組立体は第１の家具部と、第２の家具部と、駆動機構とを含む。第１の家具部は第２の家具部に対して引っ込め位置から開位置の方に可動である。駆動機構は第１のロック装置を含む。第１のロック装置は、第１の部品と、第２の部品と、制御部材とを含む。第１の部品は第２の家具部上で可動である。第２の部品は第１の部品に可動に連結されている。制御部材は第２の部品に対してロック状態及びロック解除状態のうちの一方の状態になるように構成されている。制御部材がロック状態にある場合、制御部材は、第１の部品を第２の家具部に対して引っ込め位置から開位置の方に第１の方向に沿って動かすことができるようにするために第２の部品と係合しない。制御部材がロック解除状態にある場合、制御部材は、第１の部品を第２の家具部に対して第２の方向に沿って動かすことができないようにするために第２の部品と係合する。第１の家具部が第２の家具部に対して開位置から引っ込め位置の方に第２の方向に沿って所定の距離動かされると、制御部材はロック解除状態からロック状態に切り替わる。
【０００７】
本発明の別の実施形態によれば、本発明は第１の家具部を第２の家具部に対して動かすための駆動方法を提供する。第１の家具部は第２の家具部に対して引っ込め位置から開位置の方に第１の方向に沿って可動である。当該駆動方法は、第１の弾性部材を提供するステップと、第１の弾性部材を解除可能にロックするように構成された第１のロック装置を提供するステップであって、第１のロック装置に第１の弾性部材のロックを解除させるために、外力によって第１の家具部が第２の家具部に対して第２の方向に沿って動かされると、第１の弾性部材は第１の弾性力を放ち、該第１の弾性力に反応して、第１の家具部が第２の家具部に対して引っ込め位置から開位置に第１の方向に沿って動かされる、ステップと、第２の弾性部材を提供するステップと、を含み、第１のロック装置に第１の弾性部材をロックさせるために、外力によって第１の家具部が第２の家具部に対して開位置から引っ込め位置の方に所定の距離動かされると、第２の弾性部材は第２の弾性力を放つように構成され、該第２の弾性力に反応して、第１の家具部が第２の家具部に対して開位置から引っ込め位置に第２の方向に沿って動かされる。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、本発明の一実施形態に係る、キャビネットに対して開けられた引き出しを示す図である。
【図２】図２は、引き出しを取り外した状態の図１のキャビネットを示す図である。
【図３】図３は、本発明の一実施形態に係るスライドレールアセンブリの分解図である。
【図４】図４は、本発明の一実施形態に係る、引っ込められた状態のスライドレールアセンブリを示す図である。
【図５】図５は、本発明の一実施形態に係る駆動機構及び運搬部材の分解図である。
【図６】図６は、図５の駆動機構及び運搬部材を示す図である。
【図７】図７は、本発明の一実施形態に係る駆動機構の第１のロック装置の一部の部品の分解図である。
【図８】図８は、本発明の一実施形態に係る、第１のロック装置の当接部材が所定位置に位置している場合に、互いに当接する２つの部品を示す図である。
【図９】図９は、図８の当接部材を別の角度で示す図である。
【図１０】図１０は、本発明の一実施形態に係る、所定の位置から離れた第１のロック装置の当接部材を示す図である。
【図１１】図１１は、図１０の当接部材を別の角度で示す図である。
【図１２】図１２は、本発明の一実施形態に係る、第１のベース部に隣接して位置するとともに連結部材に取り付けられ、制御通路に対応する制御部材を有する第１のロック装置を示す図である。
【図１３】図１３は、本発明の一実施形態に係る、第１のベース部に対してロック状態にある第１のロック装置を示す図である。
【図１４】図１４は、ロック状態から徐々に離れる図１３の第１のロック装置を示す図である。
【図１５】図１５は、ロック状態からロック解除状態に切り替えられている図１４の第１のロック装置を示す図である。
【図１６】図１６は、本発明の一実施形態に係る、スライドレールアセンブリの第２のレールに対して引っ込め位置に位置する第１のレールと、第１のロック装置がロック状態にあることにより第１の方向に沿って第１の弾性力を蓄積する第１のロック装置の第１の弾性力部材とを示す図である。
【図１７】図１７は、ロック状態にある第１のロック装置を説明するための、図１６の領域Ａの拡大図である。
【図１８】図１８は、第２のレールの一部を捕捉する第２のロック装置の捕捉部材と、補助弾性部材を通じて第２のロック装置のブロッキング部材と当接する押圧部材を含む駆動機構とを説明するための、図１６の領域Ｂの拡大図である。
【図１９】図１９は、本発明の一実施形態に係る、外力によって第２のレールに対して第２の方向に沿って動かされたスライドレールアセンブリの第１のレールを示す図である。
【図２０】図２０は、ロック解除状態にある第１のロック装置を説明するための図１９の領域Ａの拡大図である。
【図２１】図２１は、第２のレールの一部を捕捉する第２のロック装置の捕捉部材と、補助弾性部材を押圧してある距離動かす押圧部材とを説明するための、図１９の領域Ｂの拡大図である。
【図２２】図２２は、本発明の一実施形態に係る、ロック解除状態にあるスライドレールアセンブリの第１のロック装置と、弾性力を放って第１のレールを駆動し、第２のレールに対して第１の方向に沿って動かす第１の弾性部材とを示す図である。
【図２３】図２３は、第１のロック装置に対して端部に位置する第１のベース部を示すための図２２の領域Ａの拡大図である。
【図２４】図２４は、第２のレールの一部を捕捉することなく、ブロッキング部材に対して逸れた第２のロック装置の捕捉部材を説明するための、図２２の領域Ｂの拡大図である。
【図２５】図２５は、本発明の一実施形態に係る、第２のレールに対して、第２の方向に沿って開位置から引っ込められたスライドレールアセンブリの第１のレールを示す図である。
【図２６】図２６は、第１のロック装置に対してある距離動かされてロック解除状態で維持された第１のベース部を説明するための、図２５の領域Ａの拡大図である。
【図２７】図２７は、ブロッキング部材に対して逸れた第２のロック装置の捕捉部材を説明するための、図２５の領域Ｂの拡大図である。
【図２８】図２８は、本発明の一実施形態に係る、第２のレールに対して、第２の方向に沿って開位置からさらに引っ込められたスライドレールアセンブリの第１のレールを示す図である。
【図２９】図２９は、ロック状態になるように、第１のロック装置に対して動かされた第１のベース部と、第２のレールの一部の捕捉準備かできた第２のロック装置の捕捉部材とを説明するための、図２８の領域Ａの拡大図である。
【図３０】図３０は、本発明の一実施形態に係る、第２のレールに対して、第２の方向に沿って開位置からさらに引っ込められたスライドレールアセンブリの第１のレールを示す図である。
【図３１】図３１は、ロック状態にある第１のロック装置と、第２のレールの逸らすべき一部を捕捉した第２のロック装置の捕捉部材とを説明するための、図３０の領域Ａの拡大図である。
【図３２】図３２は、本発明の一実施形態に係る、第２の弾性部材の第２の弾性力に反応にして、第２のレールに対して第２の方向に沿って引っ込められたスライドレールアセンブリの第１のレールを示す図である。
【図３３】図３３は、第１のレールが第２のレールに対して第２の方向に沿って引っ込められた場合に制動効果を提供する制動装置を説明するための、図３２の領域Ａの拡大図である。
【発明を実施するための形態】
【００１０】
図１は、第１の家具部２２、第２の家具部２４及び一対のスライドレールアセンブリ２６を少なくとも含む、本発明の一実施形態に係る家具組立体２０を示す。本実施形態では、第１の家具部２２が例えば引き出しであり、第２の家具部２４が例えばキャビネットである。一対のスライドレールアセンブリ２６は第１の家具部２２と第２の家具部２４との間に取り付けられている。本実施形態では、スライドレールアセンブリ２６はアンダーマウント型の引き出しスライドであり、第１の家具部２２の底部の２つの側に隣接するように第１の家具部２２にそれぞれ取り付けられている。上記の構成によれば、一対のスライドレールアセンブリ２６を通じて、第１の家具部２２を第２の家具部２４に対して容易に開くか又は引っ込めることができる。
【００１１】
図２及び図３に示すように、スライドレールアセンブリ２６は第１のレール２８及び第２のレール３０を含む。第２のレール３０は第２の家具部２４に長手方向に且つ固定されて取り付けられている。そのため、第２のレール３０は第２の家具部２４の一部と見なすことができる。第１のレール２８は第２のレール３０に対して長手方向に動かすことができる。そのため、第１のレール２８は第１の家具部２２の一部と見なすことができる。スライドレールアセンブリ２６は、第１のレール２８と第２のレール３０との間に可動に取り付けられた第３のレール３２をさらに含むことが好ましい。第３のレール３２は、第２のレール３０に対する第１のレール２８の移動距離を伸長できるように構成されている。スライドレールアセンブリ２６は、第２のレール３０に固定取り付けされた拡張ベース３４をさらに含むことが好ましい。拡張ベース３４は第２のレール３０の一部と見なすことができ、拡張ベース３４は第２のレール３０の長手方向に沿って配置されている。スライドレールアセンブリ２６は、拡張ベース３４の長手方向に沿って配置された補助トラック３６をさらに含むことが好ましい。本実施形態では、補助トラック３６はギアラックである。拡張ベース３４は係合機構（engagement  feature）３８をさらに含む。係合機構３８は、拡張ベース３４に固定取り付けされた独立した部品であってもよいし、係合機構３８は拡張ベース３４から形成されていてもよい。
【００１２】
図４に示すように、スライドレールアセンブリ２６は、第１のレール２８に取り付けられた運搬部材４０をさらに含む。運搬部材４０は第１のレール２８の一部と見なすことができ（即ち、運搬部材４０は第１の家具部２２の一部と見なすことができる）、第２のレール３０に対して第１のレール２８と共に動くように構成されている。運搬部材４０は拡張ベース３４に対して動かすことができる。図４は、第２のレール３０に対して引っ込められた状態にある第１のレール２８を示す図である。即ち、運搬部材４０は拡張ベース３４に対して引っ込められている。
【００１３】
図５及び図６に示すように、本発明は駆動機構４２を提供する。駆動機構４２は運搬部材４０上に配置されている。具体的には、駆動機構４２は連結部材４４、第１のベース部４６、第２のベース部４８、第１の弾性部材５０、第２の弾性部材５２、第１のロック装置５４及び第２のロック装置５６等の複数の部品を含む。
【００１４】
連結部材４４は運搬部材４０（又は第１の家具部２２）に対して動かすことができる。連結部材４４は第１の取り付け部５８及び第２の取り付け部６０を備えていることが好ましい。
【００１５】
第１のベース部４６は第２のベース部４８に隣接して配置される。例えば、第２のベース部４８は、第１のベース部４６及び第２のベース部４８を一体とみなすことができるように、第１のベース部４６の一方側に取り付けられる。第１のベース部４６及び第２のベース部４８のうちの一方は運搬部材４０に連結されている。第１のベース部４６及び第２のベース部４８は、複数の固定部材６２等の少なくとも１つの固定部材６２を備えていることが好ましい。他方で、連結部材４４は、複数の固定部材６２に対応する位置に位置する複数の伸長孔６４等の少なくとも１つの伸長孔６４を備える。複数の伸長孔６４は、連結部材４４を第１のベース部４６又は第２のベース部４８に対して動かすことができるようにする。具体的には、各固定部材６２が対応する伸長孔６４の一部を通って運搬部材４０（又は第１の家具部２２）に連結されている。固定部材６２及び伸長孔６４はそれぞれ突起及び有界孔（bounded  hole）（長手孔等）である。
【００１６】
第１の弾性部材５０は連結部材４４に取り付けられている。第１の弾性部材５０は第１のベース部４６と連結部材４４の第１の取り付け部５８との間に取り付け可能であることが好ましい。他方で、第２の弾性部材５２は、連結部材４４と第２のロック装置５６との間に取り付けられる。
【００１７】
第１のロック装置５４は連結部材４４上に配置されている。第１のロック装置５４は、第１の弾性部材５０を解除可能にロックするように構成されている。それに加えて、第１のベース部４６は、第１のロック装置５４を収容するための空間６６を提供する。
【００１８】
第２のロック装置５６は捕捉部材（capturing  member）６８及びブロッキング部材（blocking  member）７０を含む。本実施形態では、捕捉部材６８は、ブロッキング部材７０に可動に連結、例えば枢結される。第２のロック装置５６のブロッキング部材７０は第２の弾性部材５２に連結されている。例えば、第２の弾性部材５２は、第２のロック装置５６のブロッキング部材７０と連結部材４４の第２の取り付け部６０との間に取り付けることができる。本実施形態では、第２のロック装置５６は第２のベース部４８に可動に取り付けられている。具体的には、第２のベース部４８はガイド通路７２を有する。ガイド通路７２は長手方向通路（longitudinal  path）７４と、長手方向通路７４と連通するとともに長手方向通路７４に対して逸れた横方向通路（transverse  path）７６とを含む。捕捉部材６８及びブロッキング部材７０はガイド通路７２の長手方向通路７４に沿って動かすことができる。本実施形態では、捕捉部材６８及びブロッキング部材７０は、ガイド通路７２の長手方向通路７４に沿って動かすことができる第１のピン７１及び第２のピン７３をそれぞれ有する。
【００１９】
駆動機構４２は制動装置７８をさらに含むことが好ましい。制動装置７８はシリンダー８０と、シリンダー８０に対して可動な制動ロッド８２とを含む。当業者にとって制動装置７８は周知であるため、制動装置７８についてのさらなる説明は省略する。制動ロッド８２は、捕捉部材６８及びブロッキング部材７０のうちの一方に対応する位置に位置している。本実施形態では、制動ロッド８２は、例えばブロッキング部材７０に対応する位置に位置している。
【００２０】
図７に示すように、第１のロック装置５４は第１の部品８４と、第１の部品８４に可動に連結された第２の部品８６とを含む。本発明では、第１の部品８４及び第２の部品８６はシャフト８８により互いに枢結されている。第１の部品８４は第２の家具部２４上で動かすことができる。例えば、第１の部品８４は補助トラック３６に沿って動かすことができる。具体的には、第１の部品８４は、補助トラック３６に沿って動かすことができるように第２のレール３０の拡張ベース３４の補助トラック３６と噛み合う。第２の部品８６は本体部９０及びハウジング部９２の２つの部分を含む。本体部９０及びハウジング部９２は一体形成可能である。あるいは、本体部９０はハウジング部９２を収容するための取り付け空間（図示せず）を有することができる。そのため、ハウジング部９２が本体部９０に取り付けられている場合、本体部９０及びハウジング部９２を一体と見なすことができる。本体部９０は互いに離間した複数の係合部９４を有する。
【００２１】
図８及び図９に示すように、第１のロック装置５４は第１の部品８４と第２の部品８６（ハウジング部９２等）との間に可動に取り付けられた少なくとも１つの当接部材９６をさらに含む。具体的には、第１の部品８４は少なくとも１つの第１の当接部９８を備え、第２の部品８６は少なくとも１つの第２の当接部１００を備える。それに加えて、第１の部品８４は傾斜面１０２を有する。第１の部品８４の第１の当接部９８と第２の部品８６の第２の当接部１００との間に、当接部材９６を収容するための当接空間１０４が定義されている。傾斜面１０２は第１の部品８４に配置され、第１の当接部９８に隣接していることが好ましい。当接部材９６は傾斜面１０２上で移動可能である。例えば、第１の部品８４が第１の移動方向に沿って回転されると、当接部材９６は傾斜面１０２上の所定の位置に移動して第１の部品８４が第２の部品８６を駆動して、当接部材９６を通じて第１の移動方向に沿って移動するように、第１の部品８４の第１の当接部９８及び第２の部品８６の第２の当接部１００に当接する。
【００２２】
図１０及び図１１に示すように、第１の部品８４が（第１の移動方向とは異なる）第２の移動方向に沿って回転されると、当接部材９６が傾斜面１０２上の所定の位置から離れるように当接部材９６は第１の部品８４の第１の当接部９８により駆動される。そのため、第１の部品８４は第２の部品８６を駆動して、当接部材９６を通じて第２の移動方向に沿って動かすことができない。
【００２３】
図１２に示すように、第１のロック装置５４は、第２の部品８６に対して可動な制御部材１０６をさらに含む。本実施形態では、制御部材１０６は第２の部品８６に対して枢結されている。制御部材１０６が第２の部品８６に対して回転し且つ逸れるように、枢結部材８５によって、例えば制御部材１０６の一部が連結部材４４に枢結されている。制御部材１０６は、第２の部品８６の係合部９４に対応する制御部１０８を有することが好ましい。制御部材１０６及び第１のベース部４６のうちの一方には制御通路１１０が形成されていることが好ましい。本実施形態では、例えば第１のベース部４６に制御通路１１０が形成されている。制御通路１１０は第１の通路１１２と、第１の通路１１２と連通するとともに第１の通路１１２に対して逸れた第２の通路１１４とを含む。他方で、制御通路１１０は、制御部材１０６を第１のベース部４６又は第２の部品８６に対して動かすことができるようにする。制御部材１０６の別の部分には、制御通路１１０と協働するガイド部材１１６が設けられていることが好ましい。第１のロック装置５４は、第１のロック装置５４に対して第１のベース部４６が移動することで生じる摩擦を低減するために第１のベース部４６と回転接触する回転部材１１７をさらに含むことが好ましい。
【００２４】
図１３、図１４及び図１５に示すように、制御部材１０６は、選択的にロック状態Ｌ１及びロック解除状態Ｌ２のうちの一方の状態になるように構成されている。即ち、第１のロック装置５４はロック状態Ｌ１又はロック解除状態Ｌ２になることができる。例えば、制御部材１０６は、第２の部品８６（又は第１のロック装置５４）に対して回転させ且つ逸らしてロック状態Ｌ１からロック解除状態Ｌ２にすることができる。具体的には、制御部材１０６は、制御通路１１０の第１の通路１１２及び第２の通路１１４を通じて第１のロック状態Ｌ１からロック解除状態Ｌ２に切り替えるか又はロック解除状態Ｌ２からロック状態Ｌ１に切り替えることができる。本実施形態では、ガイド部材１１６が第１のベース部４６の制御通路１１０の第２の通路１１４内に位置している場合、制御部材１０６はロック状態Ｌ１にある。そのため、制御部材１０６の制御部１０８は第２の部品８６の係合部９４と係合しない。第１のベース部４６に外力が加えられると、制御部材１０６が逸れて、ガイド部材１１６が制御通路１１０の第２の通路１１４から第１の通路１１２に入るようにする。そのため、制御部材１０６は第２の部品８６（又は第１のロック装置５４）に対してロック解除状態Ｌ２にあり、制御部材１０６の制御部１０８は第２の部品８６の係合部９４と係合する。即ち、制御部材１０６の制御部１０８は第２の部品８６の係合部９４と選択的に係合するか又は係合しないようにできる。他方で、制御通路１１０の第１の通路１１２によって所定の長手方向距離Ｘが定義されている。
【００２５】
図１６、図１７及び図１８に示すように、第１のレール２８は第２のレール３０に対して引っ込め位置Ｐ１に位置している（即ち、第１の家具部２２は第２の家具部２４に対して引っ込め位置Ｐ１に位置している）。そのため、制御部材１０６は、ガイド部材１１６が第１のベース部４６の制御通路１１０の第２の通路１１４内に位置しているためロック状態Ｌ１にある。ロック状態Ｌ１にある場合、制御部材１０６の制御部１０８は第２の部品８６の係合部９４と係合しない。そのような状態では、第１の部品８４は第１の方向Ｄ１及び第２の方向Ｄ２に沿って補助トラック３６上を移動できる。第１の部品８４は第１の方向Ｄ１に沿って補助トラック３６上を移動できるため、第１の部品８４は、第２の家具部２４に対して、引っ込め位置Ｐ１から開位置の方に第１の方向Ｄ１に沿って動かすことができる。それに加えて、制御部材１０６がロック状態Ｌ１で保持されて、第１の方向Ｄ１に沿って連結部材４４に加えられる第１の弾性力（又は第１の駆動力）を第１の弾性部材５０に蓄積させる。即ち、第１のロック装置５４の制御部材１０６が第１の弾性部材５０をロックすると、第１の弾性部材５０は第１の弾性力を蓄積するように構成されている。他方で、捕捉部材６８は第２のレール３０（又は第２の家具部２４）の一部、例えば係合機構３８を捕捉するように構成された捕捉機構（capturing  feature）１１８を有する。捕捉機構１１８は留め具又は凹状構造である。第２のベース部４８は部屋１２０をさらに含むことが好ましい。駆動機構は、部屋１２０内に収容された補助弾性部材１２２及び押圧部材１２４をさらに含む。補助弾性部材１２２は、押圧部材１２４が部屋１２０から部分的に突出してブロッキング部材７０と接触するように押圧部材１２４に弾性力を提供するように構成されている。それに加えて、制動装置７８の制動ロッド８２はブロッキング部材７０と当接する。
【００２６】
図１９、図２０及び図２１に示すように、捕捉部材６８と、第２のレール３０の係合機構３８とが互いに係合するため、第２の方向Ｄ２に沿った外力が第１のレール２８に加えられると、第１のレール２８は第２のレールに対して、第２の方向Ｄ２に沿って引っ込め位置Ｐ１から移動する。そして、押圧部材１２４はブロッキング部材７０と当接し、外力に反応して補助弾性部材１２２を押圧し、それにより第１のレール２８が第２のレール３０に対して第２の方向Ｄ２に沿って短い距離移動する。第１のレール２８が第２の方向Ｄ２に沿って移動したことに反応して、第１のベース部４６は制御部材１０６をさらに駆動してロック状態Ｌ１からロック解除状態Ｌ２に移す。それにより、制御部材１０６の制御部１０８は第２の部品８６の係合部９４と係合できる（制御部材１０６がロック状態Ｌ１からロック解除状態Ｌ２に移るプロセスについては、図１３、図１４及び図１５を参照。簡略化のためにさらなる説明は省略する）。そのような状態では、第１の部品８４を補助トラック３６に対して第２の方向Ｄ２に沿って動かすことができない（即ち、第１の部品８４は第２の家具部２４に対して第２の方向Ｄ２に沿って動かすことができない）。即ち、そのような状態では、第１の部品８４は第１の方向Ｄ１（第２の方向Ｄ２と反対の方向）に沿ってのみ補助トラック３６上を移動できる。
【００２７】
図２２、図２３及び図２４に示すように、制御部材１０６がロック解除状態Ｌ２にあり（即ち、制御部材１０６のガイド部材１１６が制御通路１１０の第１の通路１１２内に位置している）且つ第２の方向Ｄ２に沿った外力がもはや存在していない場合、第１の弾性部材５０は第１の弾性力を放って第１のレール２８を駆動し、第２のレール３０に対して第１の方向Ｄ１に沿って引っ込め位置Ｐ１から移動させる。即ち、第１のロック装置５４の制御部材１０６がロック解除状態Ｌ２にある場合、第１のロック装置５４は、第１の弾性部材５０が第１の弾性力を放って第１のベース部４６及び第２のベース部４８が第１のレール２８と共に第１の方向Ｄ１に沿って移動するように第１の弾性部材５０のロックを解除する。第１の弾性部材５０によって第１の弾性力が放たれることに反応して、第２のレール３０に対して第１のレール２８を開くことができる。第２のベース部４８が第１の方向Ｄ１に沿って動かされると、第２のベース部４８のガイド通路７２が捕捉部材６８に対して動かされて、捕捉部材６８の第１のピン７１をガイド通路７２の長手方向通路７４から横方向通路７６に入る。従って、捕捉部材６８は、捕捉部材６８の捕捉機構１１８を拡張ベース３４の係合機構３８から取り外すためにブロッキング部材７０に対して逸らされる。それに加えて、制動装置７８の制動ロッド８２はシリンダー８０に対して外側に伸長されて制動準備状態に置かれるとともに第２のロック装置５６のブロッキング部材７０に対応する。
【００２８】
図２５、図２６及び図２７に示すように、外力によって、第１のレール２８が第２のレール３０に対して第２の方向Ｄ２に沿って開位置Ｐ２から動かされると（即ち、外力によって、第１の家具部２２が第２の家具部２４に対して第２の方向Ｄ２に沿って開位置Ｐ２から動かされると）、第１のベース部４６及び第２のベース部４８は第１のレール２８と共に第２の方向Ｄ２に沿って移動する。第１のロック装置５４は（第１の部品８４の第１の当接部９８及び第２の部品８６の第２の当接部１００と当接する、図８の当接部材９６等）、第２の部品８６の係合部９４と係合する制御部材１０６の制御部１０８と係合状態にあるため、第１の部品８４は第２の方向Ｄ２に沿って補助トラック３６上を移動できない。そのような状態では、第１の弾性部材５０は外力に反応して第１の弾性力を蓄積し、第２の弾性部材５２も外力に反応して第２の弾性力を蓄積する。具体的には、第１のベース部４６が外力に反応して第２のレール３０に対して動かされると、第１の弾性部材５０が第１のベース部４６によって伸ばされて第１の弾性力を蓄積する。他方で、捕捉部材６８の第１のピン７１はガイド通路７２の横方向通路７６内で保持されているため、第２の弾性部材５２は第２のベース部４８によって伸ばされて第２の弾性力を蓄積する。
【００２９】
図２８及び図２９に示すように、第１のレール２８が第２のレール３０に対して開位置Ｐ２から引っ込め位置Ｐ１の方に第２の方向Ｄ２に沿って所定の距離動かされると（例えば、第１のレール２８が制御通路１１０の第１の通路１１２の長手方向距離Ｘ動かされる）、第１のベース部４６が移動して、制御部材１０６が第２の部品８６に対してロック解除状態Ｌ２からロック状態Ｌ１に戻るように切り替えられるように、制御部材１０６のガイド部材１１６を制御通路１１０の第１の通路１１２から第２の通路１１４に戻す。従って、制御部材１０６の制御部１０８は第２の部品８６の係合部９４と係合しない。そのような状態では、第１の弾性部材５０及び第２の弾性部材５２は第１の弾性力（又は第１の駆動力）及び第２の弾性力（又は第２の駆動力）をそれぞれ蓄積することができる。即ち、第１のロック装置５４の制御部材１０６は、第１のレール２８が第２のレール３０に対して所定の距離動かされたことに反応して、第１の弾性部材５０をロックする状態に戻す。第２の弾性部材５２の第２の弾性力は、第２の方向Ｄ２に沿って連結部材４４に加えることができる。他方で、捕捉部材６８は第２のレール３０の係合機構３８を捕捉する準備ができている。
【００３０】
図３０及び図３１に示すように、第１のレール２８を第２のレール３０に対して第２の方向Ｄ２に沿って引っ込める最後のプロセスでは、捕捉部材６８の捕捉機構１１８は、捕捉部材６８の第１のピン７１がガイド通路７２の横方向通路７６から遠ざかって長手方向通路７４に移るように、第２のレール３０の係合機構３８を捕捉する。即ち、捕捉部材６８はブロッキング部材７０に隣接するようにブロッキング部材７０に対して逸らされる。
【００３１】
図３２及び図３３に示すように、捕捉部材６８が第２のレール３０の係合機構３８を捕捉すると、第２の弾性部材５２は第２の弾性力を放ち、第２の弾性力に反応して、第１のレール２８が第２のレール３０に対して第２の方向Ｄ２に沿って引っ込め位置Ｐ１に引っ込められる。即ち、第１の家具部２２は、第２の弾性力に反応して、第２の家具部２４に対して第２の方向Ｄ２に沿って開位置Ｐ２から引っ込め位置Ｐ１に動かすことができる。それに加えて、制動装置７８の制動ロッド８２はブロッキング部材７０に当接するため、制動装置７８は、第１のレール２８を第２のレール３０に対して引っ込め位置Ｐ１に引っ込めるプロセスにおいて制動効果を提供するように構成されている。
【００３２】
さらに、本発明は第１の家具部２２及び第２の家具部２４のための駆動方法をさらに提供する。当該駆動方法は前で説明した実施形態に開示されている。簡略化のために、さらなる説明は省略する。
【００３３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３４】
２０  家具組立体
２２  第１の家具部
２４  第２の家具部
２６  スライドレールアセンブリ
２８  第１のレール
３０  第２のレール
３２  第３のレール
３４  拡張ベース
３６  補助トラック
３８  係合機構
４０  運搬部材
４２  駆動機構
４４  連結部材
４６  第１のベース部
４８  第２のベース部
５０  第１の弾性部材
５２  第２の弾性部材
５４  第１のロック装置
５６  第２のロック装置
５８  第１の取り付け部
６０  第２の取り付け部
６２  固定部材
６４  伸長孔
６６  空間
６８  捕捉部材
７０  ブロッキング部材
７２  ガイド通路
７４  長手方向通路
７６  横方向通路
７８  制動装置
８０  シリンダー
８２  制動ロッド
８４  第１の部品
８６  第２の部品
８８  シャフト
９０  本体部
９２  ハウジング部
９４  係合部
９６  当接部材
９８  第１の当接部
１００  第２の当接部
１０２  傾斜面
１０４  当接空間
１０６  制御部材
１０８  制御部
１１０  制御通路
１１２  第１の通路
１１４  第２の通路
１１６  ガイド部材
１１８  捕捉機構
１２０  部屋
１２２  補助弾性部材
１２４  押圧部材
【図１】
0006357211.tif 000002
【図２】
0006357211.tif 000003
【図３】
0006357211.tif 000004
【図４】
0006357211.tif 000005
【図５】
0006357211.tif 000006
【図６】
0006357211.tif 000007
【図７】
0006357211.tif 000008
【図８】
0006357211.tif 000009
【図９】
0006357211.tif 000010
【図１０】
0006357211.tif 000011
【図１１】
0006357211.tif 000012
【図１２】
0006357211.tif 000013
【図１３】
0006357211.tif 000014
【図１４】
0006357211.tif 000015
【図１５】
0006357211.tif 000016
【図１６】
0006357211.tif 000017
【図１７】
0006357211.tif 000018
【図１８】
0006357211.tif 000019
【図１９】
0006357211.tif 000020
【図２０】
0006357211.tif 000021
【図２１】
0006357211.tif 000022
【図２２】
0006357211.tif 000023
【図２３】
0006357211.tif 000024
【図２４】
0006357211.tif 000025
【図２５】
0006357211.tif 000026
【図２６】
0006357211.tif 000027
【図２７】
0006357211.tif 000028
【図２８】
0006357211.tif 000029
【図２９】
0006357211.tif 000030
【図３０】
0006357211.tif 000031
【図３１】
0006357211.tif 000032
【図３２】
0006357211.tif 000033
【図３３】
0006357211.tif 000034